(57)【要約】  注射器バレル（１１）と、該バレル（１１）内のプランジャー（１５）と、ばね（１４）であるが、該ばね（１４）の第１部分で該プランジャー（１５）に結合されており、注射器キャビテイ（２６）内の流体圧力に応答して移動可能な第２部分を有する該ばね（１４）と、流体圧力を示すために該ばね（１４）の該第２部分の複数の位置と相関させられた圧力指示部（４２）と、を具備する圧力測定注射器（１０）。【選択図】  図１
2012515064.tif 000002
【特許請求の範囲】
【請求項１】
注射器バレルと、
該バレル内のプランジャーと
該プランジャーに結合された第１部分と注射器キャビテイ内の流体圧力に応答して移動可能な第２部分とを有するばねと、
流体圧力を示すために該ばねの該第２部分の複数の位置に相関させられた圧力指示部と、を具備する圧力測定注射器。
【請求項２】
該ばねの該第２部分が、該プランジャーの内壁に対してシール接触することなしに該プランジャー内で長手方向に動く請求項１記載の注射器。
【請求項３】
該ばねの該第１部分が、該注射器バレルの内壁とスライドシールを形成するよう該プランジャーに結合される請求項１記載の注射器。
【請求項４】
該ばねがベローを有する請求項１記載の注射器。
【請求項５】
該圧力指示部が、不足膨張を示す少なくとも第１レベルと、過剰膨張を示す少なくとも第２レベルを含む流体の、複数の、少なくとも３つの圧力レベルを有する請求項１記載の注射器。
【請求項６】
該プランジャーが遠位の端部と近位の端部とを有し、該ばねの該第１部分が、該プランジャーの該遠位の端部に取付けられる請求項１記載の注射器。
【請求項７】
該ばねが遠位の端部と近位の端部とを有する請求項１記載の注射器。
【請求項８】
該ばねの該遠位の端部が該第１部分を有し、該ばねの該近位の端部が該第２部分を有する請求項７記載の注射器。
【請求項９】
該ばねの該近位の端部が、流体圧力を示すために該ピストンに対し長手方向に動く可視的指示部要素を有する請求項８記載の注射器。
【請求項１０】
該流体がガスを有する請求項１記載の注射器。
【請求項１１】
該流体が液体を有する請求項１記載の注射器。
【請求項１２】
該注射器が、気管内のカッフのガス圧力を測定するため該カッフに接続される請求項１記載の注射器。
【請求項１３】
該スライドシールがＯリングを有する請求項３記載の注射器。
【請求項１４】
該ばねがコイル状ばね及び／又は柔軟なダイアフラムを有する請求項１記載の注射器。
【請求項１５】
該注射器が、少なくとも５ｃｍＨ２Ｏから３５ｃｍＨ２Ｏの圧力範囲を示す複数のマーカーを有する請求項１記載の注射器。
【請求項１６】
該プランジャーは、該ばねが中に配置される内部キャビテイを有するチューブ状ボデイを備え、該プランジャーは、該ばねと、該注射器の遠位のキャビテイとの間の流体接続を提供するために遠位の開口部を有する請求項１記載の注射器。
【請求項１７】
該ばねの遠位の端部が、該プランジャーの遠位の端部に機械的に結合される請求項１記載の注射器。
【請求項１８】
該注射器が、塩水の様な液体の哺乳動物身体内への注射のための針に接続される請求項１記載の注射器。
【請求項１９】
該注射器が小児科用気管内チューブに接続される請求項１記載の注射器。
【請求項２０】
先端端部のアパーチャーと反対端部の開口部とを有するバレルと、
該バレル内に配置され、該プランジャーの近くに流体室を規定するよう該バレルの内壁に対しシールを形成するプランジャーと、
該プランジャー内に配置され、第１端で該プランジャーに取付けられ、該流体室内の圧力を示すために第２端で移動可能であるベローと、
該ベローの位置に基づき該流体室内の圧力を示す可視的指示と、を具備する気管内カッフ圧力測定注射器。
【請求項２１】
該プランジャーが、５から３５ｃｍＨ２Ｏの範囲内で高圧限界と低圧限界を示す可視的指示を有する請求項２０記載の注射器。
【請求項２２】
該可視的指示が、１０から３０ｃｍＨ２Ｏの範囲内の圧力を指示する請求項２０記載の注射器。
【請求項２３】
該可視的指示が、該プランジャーの外壁面上に配置される請求項２０記載の注射器。
【請求項２４】
該ピストン及び該ベローが、伸縮する仕方で相互に対し移動する請求項２０記載の注射器。
【請求項２５】
該ベローが、該流体室と流体的に連通する内部キャビテイを有する請求項２３記載の注射器。
【請求項２６】
該可視的指示が、該プランジャーが該注射器内部で軸方向にスライドする時、視認可能なマーキングを該プランジャー上に有する請求項２０記載の注射器。
【請求項２７】
該マーキングが、該室内の流体圧力を示す目盛り付きマーキングを有する請求項２６記載の注射器。
【請求項２８】
該マーキングが、該プランジャー上の配色の変化を有する請求項２６記載の注射器。
【請求項２９】
該ベローの近位の端部上の指示部を更に具備する請求項５記載の注射器。
【請求項３０】
該ベローが、０．１から１ｍｍの範囲内の壁厚さを有する請求項２０記載の注射器。
【請求項３１】
該可視的指示が数値圧力値を有する請求項２０記載の注射器。
【請求項３２】
該ベローが、該カッフ内の不足圧力か過剰圧力か何れかを示す近位の端部を有する請求項２０記載の注射器。
【請求項３３】
該流体室が気管内チューブのカッフと流体的に連通しており、該測定される圧力が該カッフ内の該圧力を有する請求項２０記載の注射器。
【請求項３４】
該マーキングが、１から５ｃｍＨ２Ｏの範囲の圧力のインクレメントを示す離間したマーキングを有する請求項２７記載の注射器。
【請求項３５】
気管内チューブのカッフ内の圧力を測定する方法であって、
注射器を該カッフに接続する過程を具備しており、該注射器は、先端端部にアパーチャーを有するバレルを備えており、又該注射器は、該バレル内に配置されるプランジャーを有し、該プランジャーの近くに流体室を規定するため該バレルの内壁に対しシールを形成しており、該プランジャー内に配置され、該プランジャーに対し軸方向に移動可能であるばねを有しており、該ばねは、第１端部で該プランジャーに取付けられ、該ばねの第２端部の該軸方向移動が該流体室内の圧力を示すようなっており、
該バレルに対し該プランジャーを押し下げることにより該注射器を駆動する過程と、そして
該カッフ内部のガス圧力を測定する過程と、を具備する方法。
【請求項３６】
該ばねの位置に基づき該流体室内の該圧力を示す可視的指示を見る過程を更に具備しており、該可視的指示は、約５から３５ｃｍＨ２Ｏの範囲内の圧力を示す請求項３５記載の方法。
【請求項３７】
該可視的指示が、１０から３０ｃｍＨ２Ｏの範囲内の圧力を更に示す請求項３６記載の方法。
【請求項３８】
該圧力を測定する過程が、ベロー又はダイアフラムの様なばねを変位させる過程を更に有する請求項３５記載の方法。
【請求項３９】
該ばねの該第２端部が、該プランジャーの壁から機械的に分離される請求項３５記載の方法。
【請求項４０】
該プランジャー上の手動圧力を解除する過程と、該カッフ内の流体圧力をモニターする過程と、を更に具備する請求項３５記載の方法。
【請求項４１】
該プランジャー上の可視的指示に対する、該ベローの近位の端部上に配置された指示部要素の位置を、観察する過程を更に具備する請求項３８記載の方法。
【請求項４２】
該カッフの不足膨張又は過剰膨張を測定する過程を更に具備する請求項３５記載の方法。
【請求項４３】
該駆動する過程が、該注射器で該カッフを膨らませる過程を更に有する請求項３５記載の方法。
【請求項４４】
該カッフを膨らませる過程が、該プランジャーを該注射器バレル内へ手動で押し込む過程を有しており、該プランジャーが遠位の方向にスライドする、該バレルの内壁に対するシールを有する請求項４３記載の方法。
【請求項４５】
注射器バレルを形成する過程と、
プランジャーを形成する過程と、
ばねを形成する過程と、
該ばねが第１部分で該プランジャーに結合されており、該ばねが該プランジャーに対し長手方向に移動可能な、結合されない第２部分を有する該ばねを該プランジャー内に挿入する過程と、
シールを形成するために該プランジャーと該ばねを該注射器バレル内に挿入する過程と
、を具備する圧力測定注射器を製作する方法。
【請求項４６】
該ばねが、モールドされたベローを有する請求項４５記載の方法。
【請求項４７】
該注射器バレル、プランジャーそしてばねが非金属である請求項４５記載の方法。
【請求項４８】
圧力レベルを示すために該プランジャー上にマーキングを形成する過程を更に具備する請求項４５記載の方法。
【請求項４９】
該プランジャーが、遠位の端部のピストンと、近位の端部のキャップと、そして空気ベントと、を有する請求項４５記載の方法。
【請求項５０】
該注射器が、２から２０ｃｃの範囲の排出容積を有する請求項４５記載の方法。
【発明の詳細な説明】
【関連出願の相互参照】
【０００１】
本出願は２００９年１月１５日出願の米国特許仮出願第６１／１４４，９５６号の特典を請求するものである。
【技術分野】
【０００２】
本発明は一般的に注射器に関し、特に注射器内の流体圧力を測定出来る注射器に関する。
【背景技術】
【０００３】
気管内チューブ（ETT）は、例えば機械的換気用に必要とされる時、患者の肺内へ開いた気道を提供するため、麻酔、集中治療及び救急治療時の様な医学的手順で普通使われる。該気管内チューブは挿管として公知の過程で、患者の気管内に挿入され、該チューブの遠位の端部近くのバルーン状カッフは、該気管内に該チューブを固定し、該チューブの周りの漏れを防止するために、膨らまされるのが典型的である。
【０００４】
患者に挿管する時、該カッフの過剰膨張を避けることが重要であり、何故ならば気管壁に対する過剰なカッフ圧力は粘膜虚血を引き起こし、続く圧力壊死は気管の狭窄へ導くからである。過剰膨張カッフの他の破局的合併症には、粘膜潰瘍、搾孔、気管の瘢痕及び裂傷、そしてフィステル（fistula）が含まれる。
【０００５】
カッフが気管壁に対し適当にシールするよう充分膨らまされることも重要である。不足膨張カッフの結果は該チューブ周りでの空気漏れのみならず、肺炎及び他の深刻な状態へ導く分泌物及び他の異物の無音吸入の様な重要な合併症を含む。
【０００６】
従って、気管内チューブカッフの過剰膨張及び不足膨張の両者に関するこれらの無数の問題を避けるために、受け入れ可能なカッフ圧力の狭い範囲内に入る圧力にカッフが膨らまされることが強く求められる。更に、長時間挿管された患者では不安全なカッフ圧力が進展し得る。カッフ内の又は気管内チューブの他の場所の漏れは漸次の圧力損失に帰着し、亜酸化窒素の様な或る種のガスのカッフによる吸収は挿管時のカッフ圧力を現実に高め得る。引き延ばされた期間に亘る患者条件の変化は又カッフ圧力の調整を要する。従って、カッフ圧力が日常的にモニターされ、受け入れ可能な圧力範囲内に保持されることが重要である。
【０００７】
解剖構造の差異及び個人間で対比される気管圧力は、同一寸法のカッフに於いても、カッフ内の流体容積をカッフ圧力の不正確な代理にさせる。かくして、カッフ圧力は、カッフ内に予め決められた容積の空気を保持することに依るだけでは、信頼性を有して管理されることは不可能である。
【０００８】
現在、カッフ圧力をモニターするため臨床医により使われる最も普通の技術は、該カッフを膨らますために使われる注射器の指触診、又は或る場合は、患者の外部にあり、該カッフと流体的に連通するパイロットバルーンの指触診、による該圧力の見積りである。この技術は非常に不正確なことが示されて来た。該カッフを膨らますために使われる注射器は圧力を測定するため取り入れられて来たが、信頼性あるカッフ圧力測定用に感度と範囲を提供するのに失敗して来た。もう１つの取り組みは、該カッフの入り口バルブに別のマノメーターを取り付けることによりカッフ圧力を直接測定することである。しかしながら、マノメーターは、看護点で使われず又容易に利用可能でもないことが典型的な、嵩張り、高価なデバイスである。更に、これらのデバイスは必ずしも常に正確でなく、何故なら
ば多くの圧力ゲージは圧縮可能な容積を追加し、該容積は測定に影響しそして測定の結果としてカッフ圧力に負にさえ影響するからである。
【先行技術文献】
【特許文献】
【０００９】
【特許文献１】米国特許仮出願公開第６１／１４４，９５６号明細書、２００９年１月１５日出願
【特許文献２】Ｌｅｉｂｉｎｓｏｈｎへの米国特許第４，０６４，８７９号明細書
【発明の概要】
【００１０】
本発明は圧力測定注射器に関する。好ましい実施例は、該注射器の遠位の室内の流体圧力により変位させられる注射器プランジャーに設置されたばねを使用する。好ましい実施例は、柔軟なダイアフラム又はベローの形のばねを該注射器のプランジャーに設置するが、該ダイアフラム又はベローは該システムの摩擦を減じ、特に低い圧力で流体圧力のより精密な測定を提供する。
【００１１】
挿管された患者の安全を保証するために、本発明の好ましい実施例は、圧力の狭いバンド内に保持される気管内チューブカッフ圧力の測定を提供する。本発明は更に該カッフを選択された範囲内に、好ましくは１５と３５ｃｍＨ２Ｏの間、そしてなおより好ましくは約２０と３０ｃｍＨ２Ｏの間に膨らます膨張デバイスを提供する。本発明の好ましい実施例は、それぞれ気管のカッフの過剰膨張及び不足膨張を示す、少なくとも高圧力レベル及び低圧力レベルを示す圧力ゲージを有する注射器を提供する。小児科患者の挿管の様な、或る応用では、５から２０ｃｍＨ２Ｏの範囲内の低圧力を測定することが望ましい。
【００１２】
本発明の１側面に依れば、内部圧力ゲージを有する注射器は、先端端部にアパーチャーをそして反対端部に開口部を有するバレルと、該バレル内に配置されるプランジャー又はピストンであるが、該プランジャーの近くに流体室を規定するために該バレルの内壁に対しシールを形成する該プランジャー又はピストンと、を備える。該バレル内に配置されたばね、柔軟なダイアフラム又はベローは該ピストン内で軸方向に移動可能である。該ばね、柔軟なダイアフラム又はベローは移動可能な圧力指示部として動作し、第１端で該プランジャーに設置され、第２端では移動自由である。ばねの様な、該圧力指示部は軸方向移動に対抗する抵抗力を提供するよう校正され、該移動は該流体室内の圧力を示す。該ばねの相対位置に基づき該流体室内の圧力を示すため可視的指示が使われ、該可視的指示は低圧力限界及び高圧力限界の間の範囲内の、又は約５から３５ｃｍＨ２Ｏのガス圧力を示す。測定された圧力がカッフ内の流体圧力を有するよう該流体室は気管内チューブのカッフと流体的に連通している。ばね又はベローの端部はプランジャーの内部チューブ壁に対し何等の実質的摩擦無しに移動が自由であるので、該ばね又はベローは注射器室内のガス圧力をより精密に反映する。該ばねの近位の端部又は第２部分はかくして該プランジャーの内壁から機械的に分離され、その結果シールの使用無しに動作する。該ばねの遠位の端部（すなわち第１部分）は、該プランジャーの部分の外周面と注射器バレルの内壁との間でシールが形成される様な仕方で該プランジャーに結合されるので、該プランジャーの変位は流体を該注射器の遠位の開口部を通して排出する。
【００１３】
或る実施例では、該可視的指示は約２０から３０ｃｍＨ２Ｏの範囲内のガス圧力を示す。該可視的指示は該ピストン上に配置され、例えば、目盛りつけマーキング及び／又はカラーコード化マーキングを有してもよい。本発明の好ましい実施例は１０ｃｃの容積を有する注射器を備える。しかしながら、子供の様な小さな患者用に、５ｃｃ注射器が好ましい。かくして、該注射器の好ましい実施例は２から２０ｃｃの範囲内の排出値を有する。
【００１４】
もう１つの側面に依れば、気管内チューブのカッフ内の圧力を測定する方法は、カッフ
と流体的に連通する本発明の注射器を提供する過程と、該バレルに対しプランジャーを押し下げることにより該注射器を駆動する過程と、そして該カッフ内部の圧力を測定するために可視的指示を検出する過程と、を具備する。人工呼吸器を用いる様な、より長期間の使用を含む環境用には、該カッフ内の圧力をモニターすることが望ましいが、しかしながら、或る場合には、患者の口に隣接して注射器を保持することは望ましくない。該注射器は、プランジャー用の再取り付け位置でマーク付けされ、そこではユーザーは該注射器をポート又は入り口バルブに接続出来て、そこでは開弁はカッフ内にある圧力を著しくは変えず、現在のカッフ圧力の測定を可能にする。これは該カッフを完全には膨らませ直しする必要無しにカッフ圧力の周期的再接続と測定を可能にする。好ましくは、注射器のプランジャーと外壁の間のシールは、ユーザーが圧力を解放した後、該プランジャーを位置的に保持するのに充分であり、それにより進行中の圧力測定を可能にするのがよい。
【図面の簡単な説明】
【００１５】
【図１】カッフを膨らませる気管内チューブ組立体と注射器を示す図である。
【図２Ａ】注射器バレル内の最終圧力がベローを弾性的に変形させることを可能にするよう中に孔を有するピストンを押すプランジャーを示す本発明の１実施例の側断面図である。
【図２Ｂ】図２Ａの部品の自由なボデイの図である。
【図３Ａ】ピストンを押すばねを押すプランジャー注射器の側断面図である。
【図３Ｂ】図３Ａの部品の自由なボデイの図である。
【図４Ａ】プランジャー組立体の好ましい実施例の斜視図である。
【図４Ｂ】プランジャー組立体の好ましい実施例の側面図である。
【図５Ａ】圧力検出ベローの好ましい実施例の側面図である。
【図５Ｂ】圧力検出ベローの好ましい実施例の断面図である。
【図５Ｃ】圧力検出ベローの好ましい実施例の一端の拡大図である。
【図６Ａ】プランジャーの好ましい実施例の斜視図である。
【図６Ｂ】拇指が上部を押す注射器組立体の好ましい実施例の端部の頂部側の拡大図である。
【図６Ｃ】拇指が上を押す注射器組立体の好ましい実施例の端部の底部側の拡大図である。
【図６Ｄ】注射器の好ましい実施例のピストン端部の頂部側の拡大図である。
【図６Ｅ】注射器の好ましい実施例のピストン端部の底部側の拡大図である。
【図７Ａ】注射器組立体の好ましい実施例の隠れた線を示す側面図である。
【図７Ｂ】注射器組立体の好ましい実施例の側断面図である。
【図７Ｃ】注射器組立体の好ましい実施例の先端領域の拡大断面図である。
【図８Ａ−８Ｂ】注射器プランジャー内にベローを有する圧力測定注射器の実施例を示す図である。
【図９】本発明の気管カッフ圧力をモニターする好ましい方法のブロック図である。
【図１０】小児科用気管内チューブ組立体と、カッフを膨らませる圧力測定デバイスを有する注射器と、を示す図である。
【図１１】気管内チューブ組立体と、圧力測定デバイスを有する注射器と、を備えるキットを示す図である。
【図１２】患者への圧力検出医療手順で使われる圧力測定注射器を示す図である。
【実施例１】
【００１６】
本出願は、全開示が引用によりここに組み入れられる、２００９年１月１５日出願の米国特許仮出願第６１／１４４，９５６の特典を請求する。
【００１７】
本発明は内部圧力ゲージを有する注射器１０を備え、図１で略図で図解される様な、気管内チューブ組立体２０と連結して使われてもよい。気管内チューブ組立体２０は、患者の肺への及び該肺からの、開いた空気通路を提供するために、患者のウインドパイプ（気管）内へ挿入され得る細長いチューブ状部材２１を有する。一般的に、該チューブ組立体２０は該チューブ状部材２１の遠位の端部の近くに膨張可能なカッフ２３を有する。該カッフ２３は、該組立体２０が患者の気管内に導入される時は膨らまされない状態にあるのが一般的である。現在使用されているカッフは、英国、ハイス市の、ポーテックス社（Portex, Ltd., Hythe, U.K.）により製造される様に、大容積、低圧力と呼ばれる。充分に膨らまされた時、該カッフ容積は１５から２０ｃｃの範囲にあってもよい。大抵の成人患者では、膨らまされた容積は約６ｃｃである。膨張容積は一般に４−１０ｃｃの範囲にある。該組立体２０が気管内に適切に配置すると、該カッフ２３は、該カッフ２３から、患者の外部に配置された入り口バルブ２７まで延びる小さな流体チューブ２５を通して該カッフ２３内へ、空気の様な流体を導入することにより膨らまされる。該カッフ２３は、患者の気管に対して該カッフ２３でシールするよう膨らまされる。該チューブ組立体２０は又膨張可能なパイロットバルーン２９を有してもよい。該ロットバルーンは該患者の外部に配置され、カッフ膨張のレベルと、該カッフ２３の内側の流体圧力と、の近似値を提供するために、該カッフ２３と流体的に連通している。
【００１８】
注射器１０は、当該技術で公知の様に、該チューブ組立体２０の入り口バルブ２７のポート内に挿入され、該カッフ２３を膨らませる及び／又は縮ませるために使われてもよい。本発明の１側面に依れば、該注射器１０は下記で説明される様に、内部圧力測定デバイスを有し、該デバイスは該カッフ２３内の流体圧力を視覚的にモニターするため使われ得るので有利である。カッフ圧力は、患者が手術室にいても或いは集中治療ユニットにいても、挿管された患者の重要パラメーターであり、それは不足膨張のカッフ（すなわちカッフ圧力が低過ぎる）は気管壁に対し適切にシールせず、チューブ２１の周りの空気漏れのみならず、肺内への分泌物及び他の異物の流れにも帰着するからである。過剰膨張（すなわちカッフ圧力が高過ぎる）のカッフは気管内の粘膜血流を妨げ、患者に虚血性の、場合によっては破局的な、合併症に向かう素因を与えることも又公知である。大抵の場合、気管内チューブカッフ圧力は約３５ｃｍＨ２Ｏを越えるべきでなく、約１５ｃｍＨ２Ｏを下回るべきでない。理想的には、カッフ圧力は約２０と３０ｃｍＨ２Ｏの間のレベルに保持されるべきである。
【００１９】
本発明の注射器１０は、該注射器が接続される気管内チューブのカッフの様な膨張可能
な医療デバイスの内部圧力を測定出来て、カッフが不足膨張であるか、適切に膨らまされているか、或いは過剰膨張であるかの簡単で、可視的指示を提供する、内部圧力ゲージを有する。
【００２０】
１側面に依れば、該圧力測定デバイスは現在の注射器設計内にうまく組み入れられる。該注射器内への該圧力測定装置の一体化は、医師及び他の健康管理専門家へ直観的で、現在の挿管技術内へ組み入れが容易な製品を提供する。
【００２１】
本発明の好ましい実施例は、注射器内の空気圧により駆動される内部ばねデバイスを有する。該注射器内の圧力が増加すると、該ばねデバイスの変位は、注射器プランジャー上のフックの法則により圧力で誘起される力に比例して該注射器プランジャーの長さに沿って指示部を動かす。該力は、該変位にばね定数倍した値に等しい。内部空気ばねの利点は、設計が比較的簡単で現在の注射器設計に僅かな変更しか課さない。圧力指示部の解析は比較的直線的で予測可能である。
【００２２】
本発明の１側面に依れば、注射器はシールとばねを有する圧力センサーを備える。該シールはカッフ内の圧力と大気圧の間の圧力差を保持し、その圧力差はばねのたわみを駆動し、圧力の大きさの情報をユーザーに提供する。該ばねは例えば、ダイアフラムカバーを有するコイルばねであってもよい。ばね作用とシールを１つの簡単な機構に組み合わせるためにソフトゴムベローが使われてもよい。
【００２３】
図２Ａ及び２Ｂは本発明の１実施例の略図による図解である。図２Ａ及び２Ｂで示される様に、注射器１０は設計及び動作の両面で従来の注射器と類似である。プランジャー１５は外側シェル１１内で往復する。プランジャー１５に取り付けられたピストン端部１６は外側バレル１１に対し流体密閉シール１２を提供し、注射器１０の先端近くに流体室２２３を規定する。該プランジャー１５とピストン端部１６が該外側バレル１１内で動くと、加圧流体（例えば、空気又は液体）は注射器先端内の開口部１７を通して流れ、該先端は外部流体導管と流体密閉接続を形成するための接続要素（リュアロック（Luer-lok）部分の様な）を有してもよい。或る実施例では、該注射器１０は、図１に示す気管内チューブカッフの様な、膨張可能な医療カッフと接続されてもよい。
【００２４】
図３Ａの実施例では、一対のフランジ１３が外側シェル１１上に配置される。注射器１０の一般的な動作では、ユーザーはフランジ１３を彼又は彼女の指（例えば、人差し指及び中指）で支え、一方、プランジャー１５を押し下げ、先端１７から流体を押し出すために、ピストン１５の端部キャップ５５に対し拇指の力を印加する。
【００２５】
注射器１０は更に、ベロー１４の形の内部圧力センサーを有する。この実施例では、ベロー１４はピストン端部１６に固定される。該ピストン端部１６は、流体室２２３とベロー１４の内部の間の流体的連通を提供するために、中央開口部１９を有する。該ベロー１４は流体室２２３の内側及び外側の流体圧力間のシールを提供し、更にばねとして機能する。そこでは、該ばねの変位は、ベロー１４の内側及び外側の流体間の圧力差により駆動される。図２Ａの実施例では、ベロー１４の内側の流体圧力は流体室２２３内部の圧力Ｐと平衡する。該プランジャー１５と外側バレル１１の両方の内部はそれぞれベント開口部１８ａ及び１８ｂを介して大気と通気されているので、該ベロー１４の外側の流体圧力は大気圧と平衡する。
【００２６】
図２Ｂで図解される様に、該ベローの変位、Ｘｂは圧力誘起されたベロー力、Ｆｂｅｌｌｏｗｓ、と該ベローのばね定数、Ｋｂに比例する。かくして、該注射器１０は、ベロー１４の変位が、関心のあるどんな圧力範囲に亘っても該流体室２２３内部の流体圧力、Ｐの精密な測定値を提供するよう校正され得る。該プランジャー１５は該ベロー１４の変位
により測定された数値圧力値を示す、目盛り付けされたマーキング４２ａ、４２ｂ、４２ｃの様な、可視的指示部を有してもよい。マーキング４２ａ、４２ｂ、４２ｃは又特定の応用のための安全動作圧力範囲を示すよう提供されてもよい。注射器が、例えば気管内チューブのカッフの様な、膨張可能な医療カッフに取り付けられる場合、該マーキング４２ｂ及び４２ｃは安全カッフ膨張圧力用のそれぞれ下限及び上限の明らかな可視的指示を提供してもよい。
【００２７】
プランジャー１５が押し下げられる時、拇指力はプランジャーを下方に進め、ばねを押す代わりに該拇指力はプランジャーのピストン端１６を直接押すが、該ピストン端は同じ力Ｆｔｈｕｍｂで押し返す。該ピストン端１６は又、シール１２と外側バレル１１の間のスライド摩擦のための力Ｆｓｅａｌと、流体圧力Ｐとピストンの面積Ａとの積である力Ｆｆｌｕｉｄと、の力を上に有するが、そこでは、この場合、該面積Ａはピストン外径と内側孔１９の直径との関数である。
【００２８】
少量の流体は、孔１９を通り、ベロー１４内へ流れ、該ベローを長さＸｂまで弾性的に延ばす。有効な断面積Ａｂｅｌｌｏｗｓと圧力Ｐとの積は、該ピストンに直接作用する力Ｆｂｅｌｌｏｗｓ  ｂａｓｅである。しかしながら、Ｆｂｅｌｌｏｗｓ  ｂａｓｅは該ベローばね定数Ｋｂと該ベローの軸方向延び（Ｘｂマイナス該ベローの自由長）との積に等しい。かくして、該ベローの長さの変化を観察することにより、医療者は該カッフへ供給される圧力Ｐの直接測定値を有し、この測定は未知のシール摩擦力により影響されない。
【００２９】
この実施例では、プランジャー及び外側バレルはそれぞれベント１８ａと１８ｂを有するので、該ベローの外側は周囲大気に供される。従って、高度及び大気圧に関係なく精密な圧力読み値がもたらされる。
【００３０】
好ましくは、該ベローが操作者に容易に視認出来るよう、バレル１１及びプランジャー１５の両者は透明な材料から成るのがよい。該ばね定数Ｋｂｅｌｌｏｗｓは校正され得るので、圧力Ｐは上記説明の様に精密に決定され得る。該注射器出口１７が膨張可能な医療カッフ２３（図１）の様な外部デバイスに接続される時、該ベロー１４の内側室はカッフ２３と直接流体的に連通し（すなわち、カッフ膨張／収縮時、又はカッフモニタリング手順時）、ベロー１４の内部の圧力Ｐは該カッフ内の圧力に等しい。従って、該ベローの軸方向延びは該カッフ内の流体圧力を直接測定するため使われてもよい。
【００３１】
最近の気管内チューブカッフは一般に比較的低い圧力に膨らまされ、前述の様に、安全なカッフ圧力範囲は約１５と３５ｃｍＨ２Ｏの間、より好ましくは１５ｃｍＨ２Ｏと５０ｃｍＨ２Ｏの間の狭い圧力バンド内にある。小児科の患者用のチューブの様な場合には、該カッフ圧力は０と約１５ｃｍＨ２Ｏの間で、約１０ｃｍＨ２Ｏより低いことが多い。かくして、理想的には該注射器は、関心のある特定カッフ用の特定の安全カッフ圧力範囲内、及び該範囲を直接囲む、流体圧力の精密な測定値を提供するよう校正されるべきである。図２Ａの実施例では、該プランジャーは、注射器内の流体圧力Ｐを示す、その長さに沿う、目盛り付けされたマーキング４２を有する。加えて、該マーキング４２は、カッフ膨張圧力が“安全”範囲内にあるかどうかの決定で臨床医に役立つカラーを有してもよい。例えば、４２ａで示されたプランジャーの部分は、該カッフ圧力が低すぎる（例えば、＜１５ｃｍＨ２Ｏ）ことを示すために赤い色付けを有し、４２ｂで示された部分は“安全”範囲（例えば、１５−３５ｃｍＨ２Ｏ）内の該カッフ圧力を示すために白く、そして４２ｃで示された部分は該カッフが高すぎる圧力（例えば、＞３５ｃｍＨ２Ｏ）に膨らまされたことを示すために暗赤色の色付けを有してもよい。多数種類のこのカラーコード化案が本発明の原理により実施されてもよいことは理解されるであろう。更に、可視的指示部は、該ベローが膨らみそして縮む時、流体圧力を示すために該指示部が該プランジャーに対し長手方向に移動するよう、該ベロー上に提供されてもよい。
【００３２】
特定の実施例では、該注射器は、少なくとも５から３５ｃｍＨ２Ｏ、又は１０から３５ｃｍＨ２Ｏ、又は或る実施例では、１０から２０Ｈ２Ｏの圧力範囲を示す複数のマーカーを有する。他の圧力範囲も本発明により考慮されている。
【００３３】
図２Ａ及び２Ｂは、特許文献２の図２及び３で示される圧力指示注射器３０の精密な機能描写である図３Ａ及び３Ｂと対照された時、特に、本発明の注射器の或る実施例の利点を図解する。
【００３４】
図３Ａ及び３Ｂのデバイスでは、ユーザーはプランジャー３５に未知の力Ｆｔｈｕｍｂを印加する。該プランジャー３５はばね３４を押し、該ばねは力Ｆｓｐｒｉｎｇで押し返す。運動の何れの点に於いても、該ばね力Ｆｓｐｒｉｎｇは、ばね定数ｋと、該ばねの自由長Ｌｓｐｒｉｎｇと該ばねの圧縮された長さＸｓとの間の差と、の積に等しい。
【００３５】
しかしながら、該ばねの長さの変化を観察することにより精密に測定されるこの力Ｆｓｐｒｉｎｇは、該圧力Ｐの精密な決定を可能にはしない。これは、該ばね力Ｆｓｐｒｉｎｇはピストン３６を押し、該圧力の力、Ｆｐｉｓｔｏｎのみならず、シール力、Ｆｓｅａｌに依っても抵抗される事実に依る。該シール力は、該圧力と、該シール材料３２と外側バレル３１の間の摩擦係数と、そして製造誤差による該シールの初期事前負荷と、の関数である。  加えて、該摩擦係数は湿度と温度に依り変わり得る。
【００３６】
膨張可能な気管内カッフで使われる比較的低い圧力の様な低い流体圧力で動作する時、該シール力、Ｆｓｅａｌのこの変動性は該ばね機構の変位に影響し得て、かくして該圧力測定を図３Ａ及び３Ｂのデバイスで精密でなくする。
【００３７】
対照的に、図２Ｂで最も良く図解される様に、本発明の注射器１０は、ピストン端部１６と外側バレル１１の間のシール力、Ｆｓｅａｌから、該ベロー１４のばね力を分離する。かくして、該シール力の変動はベロー変位又は圧力測定に影響しない。
【００３８】
従って、本発明は、低圧力を精密に測定する永らく痛感されたニーヅを解決するが、それは圧力室内の圧力により自由に膨らむが、シール摩擦の様な何等かの力によっては拘束されないベローを使うことにより、弾性ばね要素を該圧力室に効果的に、直接結合することに依るからである。
【００３９】
そこで、該ばね（ベロー１４）は該ばねの第１（遠位の）部分でプランジャー１５に結合され、該ばねの第２（近位の）部分は注射器キャビテイ２２３内の流体圧力に応答して動く。該ばねの該第１部分は該プランジャーの遠位の端部に設置され、該注射器の内壁とのスライドするシールを形成するよう該プランジャーに結合される。該ばねの該第２部分はシール用接触無しに該注射器内で長手方向に動く。
【００４０】
図４Ａ及び４Ｂは図２Ａ及び２Ｂの実施例により動作するプランジャー組立体１５の好ましい実施例を示す。該プランジャー組立体１５は、機械的結合、超音波溶接及び／又はＵＶ硬化接着剤の様な何等かの適当な手段を使い、一緒に接合されるか、相互に接着されてもよい２つの同一の半分品（１５ａ、１５ｂ）から組み立てられてもよい。非常な多量用には、単一ピース部品がインジェクションモールドされてもよい。該組み立てられたプランジャー１５は、該プランジャー１５の一端の開口部１９から延び、反対端で閉じられる円柱状内部キャビテイを形成する。該プランジャー１５の該閉じた端部はキャップ部分５５を有し、該部分はユーザーが該プランジャー１５の該端部に快適に力を印加することを可能にするよう適合されている。該キャップ部分５５の近くには、該プランジャーの内部を大気に通気し、該ベローにより測定される圧力が周囲大気を基準にしていることを保
証する空気ベント孔１８ａがある。
【００４１】
図５Ａ−５Ｃは１実施例のベロー１４を図解する。該ベロー１４は該ベロー１４の一端に先端５４を、そして該ベロー１４の反対端にフッド５３を有する。該ベロー１４は先端５４では閉じており、該フッド５３の近くでは開いている。該フッド５３は下記で更に詳細に説明される様に、プランジャー１５のピストン端１６上に嵌合している。組み立てられた注射器では、流体は開口部１９を通して該ベロー１４に入り、内部キャビテイ２６を充たし、該ベロー１４を圧力の関数として膨らませ、収縮させる。該ピストン１５とベロー１４はかくしてはまり込む仕方で相互に対し動く。ベロー１４の膨張と収縮は、圧力マーキング４２に対する先端５４の位置が、圧力の可視的指示を臨床医又は医療家に与えるよう、該先端５４をプランジャー１５に対し軸方向に変位させる。
【００４２】
図７Ａ−７Ｃで示される様に、該フッド５３はプランジャーのピストン端部１６上に置かれ、次いでＯリング５２ａ及び５２ｂは該フッド上に置かれ、該Ｏリングは該フッドを該プランジャー溝５０ａ及び５０ｂ内へ変形させ、該ベローを位置的に引き留め、そして該プランジャー１５とベロー１４の組立体が外側バレル１１内に置かれる時、気密シールが保持されるようにする。１つのＯリングと溝が適度なシーリングを提供するのが典型的であるが、ここで２つ示されているのは堅牢さを追加するためである。この構成は、該プランジャーへの該ベローの組立及びシーリング用として接着剤又は他の接合方法を使用するニーヅを取り除く。従って、該フッド及びＯリングの使用により高い簡便性（より低いコスト）と優れた信頼性とが成就される。
【００４３】
１実施例では、プランジャー１５の外径は約１３ｍｍであり、内径は約１０ｍｍであり、そして典型的バレル１１の内径は１４ｍｍである。或るプランジャー壁厚さ用に充分な余地を残すために、該ベロー外径用のソフトな上限は約９から１０ｍｍに設定され、内径は約５から６ｍｍに設定される。該ベローのピッチは典型的に３から４ｍｍである。丸いプロフアイルのベローと３角形のプロフアイルのベローとの両者が使われてもよい。該デバイスが水平位置で使われるなら、重力は、該ベローの重さと、該ベロー材料と該プランジャープラスチックとの間の摩擦係数に等しい引きずり力（drag force）を惹起させるであろう。典型的に、該ベロー重さは約２ｇであるが、該重さの１／２が“引きずり（dragging）”であり（もう１つの端部はピストンにより支えられる）、該摩擦係数は精々０．３であり、従って引きずり力は約３ｍＮである。望ましい膨張圧力に於けるベロー上の軸方向力は約６０ｍＮである。従って、圧力測定での最大の予想される誤差は典型的に約５％である。該ベローの先端の端部５４はかくして該プランジャーの壁から機械的に分離される。標準の注射器プランジャー長さは又５０から７５ｍｍの長さにソフトな上限を与える。該ベローは０．１から１ｍｍの範囲の壁厚さを有してもよく、例えば０．５ｍｍ付近であってもよい。これらのパラメーターを用いると、該ベロー材料は、低圧で可視的に変形するよう、シリコーンゴムの様なソフトなエラストマー（ショア３０−６０Ａ）であってもよい。
【００４４】
該ベローはブローモールドされてもよく、該方法は凹角の特徴の故に最も低廉な製造オプションでありそうだが、しかしながら、ブローモールディングは約１／２ｍｍより狭い許容差を提供せず、該ベローの半径に沿う壁厚さの固有の変動も生じる。しかしながら、各ベローは、該ベローが型を離れる時校正され、独特なバーコードを与えられてもよい。該ベローがプランジャー上に組み立てられ、バレル内に置かれる時、圧力指示マーク４２用の最終レーザーマーキングが行われてもよい。代わりに、該システムが組み立てられた後、圧力が印加されそして圧力が増加する時、圧力指示マークがレーザーでマーク付けされ、そして例えばビジョンシステムにより位置が測定されてもよい。マサチューセッツ州、レオミンスターのアルブライトテクノロジー（Albright Technologies in Leominster,
MA）の様な、好適なブローモールドシリコーンエラストマーベローの多くの製造会社が
ある。
【００４５】
１−２ｍｍの最小厚さを有するディップモールディングについての許容差はもっと大きい。高精度インジェクションモールディング過程は重要寸法範囲の部品について誤差を０．１ｍｍまで改良し、その結果として使われるが、しかし高価なツーリングを要し、かくして非常に大量の応用には好適になりそうである。
【００４６】
図６Ａ−６Ｅは、医療家の拇指が圧力を形成し、カッフ２３内への流れを引き起こすよう力を印加する端部キャップ５５と、ピストン端部１６と、を有するプランジャー１５を示す。ピストン端部１６は、シール溝５０ａ及び５０ｂと、流体圧力がベロー１８内に入るための開口部１９と、を有するが、該ベローはプランジャー１５の円柱状の内部キャビテイの内部に置かれ、該ピストン端部１６上に嵌合されたベローフッド５３を有する。
【００４７】
図６Ａ−６Ｃは圧力等化孔１８ａを図解するが、該孔は該ベローがカッフ２３内の流体と周囲空気の間の圧力差に供されることを保証する。図６Ａ−６Ｃは又圧力指示マーク４２を図解する。
【００４８】
図６Ｃは該プランジャーの半分品１５ａ、１５ｂの各々上の雌雄整合特徴部（ピン及び孔）６４ａ及び６４ｂを示す。図６Ｅは同様な整合特徴部６５ａ及び６５ｂを示す。２つの同一のプランジャー半分品１５ａ、１５ｂは面対面で接合され、該雌雄整合特徴部は嵌合するので、該プランジャー半分品は整合され、丸いプランジャーが得られる。該半分品は一緒に超音波溶接されるか又はＵＶ硬化接着剤が使われてもよい。大量生産では単一体設計が創られてもよい。
【００４９】
図７Ａ−７Ｃはベロー１８及びプランジャー１５を有する注射器組立体１０の好ましい実施例を示す。外側バレル１１はプランジャー１５を受け、医療家の拇指は力をプランジャー端部キャップ５５に印加し、該医療家の指からの反作用力はフランジ１３により受けられる。加圧流体（例えば、空気）は該注射器端部１７を通って流れるが、該端部は、図１でカッフ２３へ該加圧流体を運ぶ外部流体導管との流体密閉接続を形成するための接続要素｛リュアロック（Luer-lok）部分の様な｝を有する。
【００５０】
図８Ａ及び８Ｂは圧力測定注射器８００のなおもう１つの実施例を図解する。該注射器８００は図８Ａに示す様に、ばねとしてのベロー８０６とプランジャー８０４内部のシールを使う。該プランジャー８０４の先端のゴムシール８１０（図８Ｂ）は、該注射器が、該注射器空気圧を該ベローに結合するシール内の孔と同じ様に感ずるよう使われる。該ベローの内部は該プランジャーのベースで大気に通気される。該ベローは、マノーメーターと該プランジャー上のマークとを使って、例えば、１０ｃｍＨ２Ｏのインクレメントで校正されてもよい。
【００５１】
このシステムは、３ｋＰａの圧力を与えられると、該ベローが例えば４２．７ｍｍだけたわむよう作動する。図８Ｂで示される様に、６ＣＣ注射器８００の標準注射器外側シェル（バレル）８０２が使われてもよい。該システムは、ベロー８０６，該ベロー８０６を収容するプランジャーチューブ８０４，キャップ８０８、そして該プランジャー８０４と該シェル８０２の間のシール８１０を有する。該注射器感触を保存するために該プランジャーを該シェルに対しシールするよう従来のプランジャーからの現在のゴムシールが使われ、修正は、圧力伝達に必要な空気流を可能にするためにその軸線を通して約１．９ｍｍ（０．０７５インチ）の孔がドリル加工されたことである。
【００５２】
ベロー材料は例えば、柔らかいゴム又は低圧力で可視的に変形するプラスチックであってもよい。ブローモールデッドスペシャルテイズ（Blow Molded Specialties）製の製品
の様な商業的ベローが使われてもよい。１実施例用のベロー寸法が表１にリスト化されている。該ベローは、先端を硬化し、該先端が変形し、読み出しを難しくしないことを保証するために、端部に同様な厚さのゴムのもう１つの層を付加するよう変型されてもよい。
【００５３】
【表１】
2012515064.tif 000003
【００５４】
長期間使用時カッフ圧力をモニターする過程６０が図９のシーケンスで図解される。この過程は最初に注射器で気管内カッフを選択された圧力に膨らませる過程６１を有する。該注射器は次いで除かれるが６３、それは該注射器が長期間患者の口の近くに取り付けられることは好ましくないからである。カッフ圧力をモニターするために、バルブが測定用に開かれた時、該カッフ圧力が著しく変わらないよう、該注射器は確立された範囲内に選択された注射器内部圧力を有するポートに周期的に取り付けられ、そしてオプション的に該カッフ圧力を調整する６５。
【００５５】
図１０は小児科用の気管用チューブ（ETT）組立体９００と、カッフを膨らませる及び／又はカッフの圧力を測定する圧力測定ゲージを有する注射器９０１と、を図解する。図１と連携して上記で実質的に説明された様に、該注射器９０１はカッフ９０３と流体的に連通する該チューブ組立体９００の入り口バルブ９０５に取り付けられる。気管用チューブは小児科患者用に特に開発されて来た。これらのチューブは一般に小さく、子供の解剖構造用に誂えられている。例えば、キンバリークラーク社からのマイクロカッフ小児科用気管用チューブ（the MICROCUFF Pediatric Endotracheal Tube from Kimberly-Clark,
Inc.）が、３ｍｍ（生後八ヶ月より幼い患者用に推奨される）から７ｍｍ（１４から１６才未満の患者用に推奨される）までに及ぶチューブ内径を有する種々のチューブサイズで売られている。更に、この様な小児科用チューブが１１ｃｍＨ２Ｏの平均カッフ圧力、又は従来のチューブの約半分の圧力、で効果的にシールすることは知られている。１実施例に依れば、本発明の注射器８０１は小児科用気管内チューブの精密な圧力測定を提供するよう校正され、そして少なくとも約０から約２０ｃｍＨ２Ｏまでの圧力を含む範囲に亘り、特に約５から約１５ｃｍＨ２Ｏの範囲に亘って、検出可能である。該圧力測定デバイスは小児科用イーテーテーの安全カッフ圧力を精密に測定するよう校正され、上記で実質的に説明された、内部ベローを有するのが好ましい。或る実施例では、該注射器は広い範囲の圧力に亘り検出可能であり、成人及び小児科イーテーテーカッフ圧力測定用に使われてもよい。種々の種類のカッフ用に安全圧力範囲を示すために別々のマーキングが該注射器プランジャー上に提供されてもよい。他の実施例では、特定の圧力範囲に亘り校正された特定応用向け圧力測定注射器が、それぞれの注射器圧力感度範囲内に入る安全動作圧力を有する特定デバイス用のカッフ圧力を測定するため使われる。例えば、小児科特定的注射器がオプションで従来の注射器より小さく作られ（例えば、５ｃｃ以下）、少なくとも約０から約２０ｃｍＨ２Ｏまでの圧力を含む範囲に亘り、或いは特に約５から約１５ｃｍＨ２Ｏまでの範囲に亘り、検出可能であってもよい。
【００５６】
代わりに、又は加えて、特定応用向け圧力測定モジュールが注射器内に挿入され、そこでは各モジュールは異なる圧力測定感度範囲を有してもよい。該圧力測定モジュールは例えば、注射器と相互交換可能式に使われ得る、種々のベローばね定数を有するベローであってもよく、或いは、再使用可能な外側バレル内に挿入され得て、各々が異なる内部ベロ
ーを有し、特定圧力範囲に亘り検出可能な、相互交換可能なプランジャー組立体であってもよい。種々に校正された圧力測定注射器のセット、又は注射器と共に使うための圧力測定モジュールがキットとして提供されてもよい。
【００５７】
図１１は臨床医が、患者内に気管内チューブを挿入し、カッフを安全圧力に膨らまし、そして長時間必要な様にカッフ圧力を精密にモニターし調整することを可能にするよう提供される気管内チューブ組立体９３１と圧力測定注射器９３３を有するキット９３０を図解する。該チューブ組立体９３１と注射器９３３は使い捨て部品として一緒に売られてもよい。代わりに、キット９３０の１つ以上の部品は例えば加圧蒸気滅菌可能であり、再使用可能であってもよい。
【００５８】
本発明の種々の実施例が気管内チューブ組立体と共に使うための注射器と連携して説明されたが、圧力測定デバイスを有する本注射器が他の応用にも使われ得ることは理解されよう。例えば、本注射器は喉頭マスク、鼻気管チューブ（naso-tracheal tube）、喉頭チューブ（Laryngeal tube）等の様な他の膨張可能な医療デバイスで膨らませ、その圧力を測定するため使われてもよい。ベローの様な圧力測定デバイスが、特定の膨張可能なデバイスの安全動作範囲に亘り好適な圧力感度を提供するよう校正されることは理解されるだろう。例えば、喉頭マスクの場合、ベローバネは少なくとも約５５から約６０ｃｍＨ２Ｏの安全動作圧力範囲に亘り感度を有するよう校正されてもよい。
【００５９】
更に、膨張可能な医療デバイスで使用するのに加えて、本圧力測定注射器は哺乳動物身体内への液体の注射、神経内への局部麻酔の注射、そして仕切り症候群の診断及び治療の様な何等かの圧力検出医療手順と連携して使用されてもよい。麻酔の注射で使用するための圧力測定注射器は例えば、１００ｃｍＨ２Ｏ付近までの圧力で精密であるよう校正されたベローを有してもよい。
【００６０】
図１２は患者９５０への圧力感応性医療手順で使われる圧力測定注射器９４０を図解する。該注射器９４０は例えば仕切り症候群の診断及び治療で使われてもよい。仕切り症候群は囲まれた解剖空間内の増加した圧力により特徴付けられ、弾力のない筋膜及び骨により閉ざされ、１０ｍｍＨｇ（１３．６ｃｍＨ２Ｏ）より低い正規圧力を有する空間内で見出されるのが典型的である。仕切り症候群用の従来の診断はストライカー針（Striker needle）を使って行われるが、そこでは針が該仕切り内に挿入され、少量の塩水が注射されるが、該針が該塩水を注射するために必要な圧力を表す。典型的に、３０ｍｍＨｇ（４０．８ｃｍＨ２Ｏ）を上回る圧力を有する患者に手術（例えば筋膜切開）が指示され、他の要因により、どこで圧力が１０と３０ｍｍＨｇ（１３．６−４０．８ｃｍＨ２Ｏ）の間にあるかが示される。本発明の圧力測定注射器９４０はこれらの圧力範囲に亘り校正され、高価なストライカー針セットアップを使うことなく、仕切り症候群を検出するため使われてもよい。これは又粉砕負傷での軍用にも有用である。
【００６１】
本発明が特定の方法と装置と関連して説明されたが、当業者はここでの特定の実施例への他の等価物を認識するであろう。説明は例に依るものであり、本発明の範囲を限定するように行われておらず、そしてこれらの等価物は下記で表明される請求項により含まれるよう意図されていることは理解されるべきである。
【図１】
2012515064.tif 000004
【図２Ａ】
2012515064.tif 000005
【図２Ｂ】
2012515064.tif 000006
【図３Ａ】
2012515064.tif 000007
【図３Ｂ】
2012515064.tif 000008
【図４Ａ】
2012515064.tif 000009
【図４Ｂ】
2012515064.tif 000010
【図５Ａ】
2012515064.tif 000011
【図５Ｂ】
2012515064.tif 000012
【図５Ｃ】
2012515064.tif 000013
【図６Ａ】
2012515064.tif 000014
【図６Ｂ】
2012515064.tif 000015
【図６Ｃ】
2012515064.tif 000016
【図６Ｄ】
2012515064.tif 000017
【図６Ｅ】
2012515064.tif 000018
【図７Ａ】
2012515064.tif 000019
【図７Ｂ】
2012515064.tif 000020
【図７Ｃ】
2012515064.tif 000021
【図８Ａ】
2012515064.tif 000022
【図８Ｂ】
2012515064.tif 000023
【図９】
2012515064.tif 000024
【図１０】
2012515064.tif 000025
【図１１】
2012515064.tif 000026
【図１２】
2012515064.tif 000027
【国際調査報告】
2012515064.tif 000028
2012515064.tif 000029
2012515064.tif 000030